(57)【要約】【課題】  廃棄する磁気ディスク装置の記憶データの漏洩防止のために、記録方式にかかわらずデータ消去を簡単な操作で確実に行えるデータ消去装置を提供する。【解決手段】  磁気ディスク５のデータを、磁石による水平方向と垂直方向の磁界により消去するデータ消去装置６０を、一側面に設けた開口部６７に続く通路６８を有する本体ケース６２と、この通路６８の１つの面に設けられた３つの永久磁石が互いに吸着し合う極性となるように隣接配置された第１の磁場発生源と、第１の磁場発生源に通路６８を隔てて対抗する３つの永久磁石から構成される第２の磁場発生源と、磁気記録媒体１を収容して通路６８内を往復動できるサイズのトレイ６１とから構成し、第２の磁場発生源の一方の端部に位置する永久磁石のみの極性を対向する永久磁石と同じ方向にし、他の２つの永久磁石の極性を対向する永久磁石と逆方向にしたデータ消去装置６０である。【選択図】      図２
2006190379.tif 000002
【特許請求の範囲】
【請求項１】
磁気記録媒体に記録されたデータを、Ｎ極とＳ極とを有する永久磁石から発生した磁界を利用して消去するデータ消去装置であって、
少なくとも一側面に開口部が設けられ、内部にこの開口部に連続する通路が設けられた本体ケースと、
前記通路の一面に沿って設けられ、少なくとも３つの永久磁石が、互いに吸着し合う極
性となるように隣接配置された第１の磁場発生源と、
前記通路の他の面に前記第１の磁場発生源に対向して設けられた第２の磁場発生源と、
前記磁気記録媒体を収容することができると共に、前記通路に沿って前記本体ケース内を往復動することができるサイズのトレイとを備え、
前記第２の磁場発生源の永久磁石は、前記第１の磁場発生源の永久磁石にそれぞれ対向する少なくとも３つの永久磁石から構成され、対向する永久磁石の少なくとも１組は、磁力線が前記通路に対して垂直方向に発生するように配置されており、残りの永久磁石は、磁力線が前記通路に沿った方向に発生するように配置されていることを特徴とするデータ消去装置。
【請求項２】
請求項１に記載のデータ消去装置において、
前記第１の磁場発生源にある永久磁石と、前記第２の磁場発生源にある永久磁石とが、それぞれ強磁性体板の上に配置されていることを特徴とするデータ消去装置。
【請求項３】
磁気記録媒体に記録されたデータを、Ｎ極とＳ極とを有する永久磁石から発生した磁界を利用して消去するデータ消去装置であって、
前記磁気記録媒体を上面に保持する本体ケースと、
２つの永久磁石からなり、これらが互いに吸着し合う極性となるように隣接配置された第１の磁場発生源と、
１つの永久磁石からなり、前記第１の磁場発生源と同じサイズで、その極性が上下方向である第２の磁場発生源と、
１つの永久磁石からなり、前記第２の磁場発生源と同じサイズで、その極性も同じである第３の磁場発生源と、
前記第１と第２の磁場発生源を交換可能に装着でき、装着した前記磁場発生源を、前記本体ケースの内部で所定方向に移動させることができる第１の移動部材と、
前記本体ケースの上面において、前記磁気記録媒体を前記磁場発生源の移動方向に略直交する方向に移動させることができる第２の移動部材と、
前記第１の移動部材に前記第２の磁場発生源が装着された時に、前記第２の移動部材の上部に取り付けられ、前記第１の移動部材に装着された前記第２の磁場発生源に対向する位置に、前記第３の磁場発生源を装着可能に構成された第３の磁場発生源の保持部材と、を備えることを特徴とするデータ消去装置。
【請求項４】
請求項３に記載のデータ消去装置において、
前記第１と第２の磁場発生源は、発生した磁場が前記本体ケースの上面を越えてその上方の空間に達するように強磁性体板に取り付けられており、
前記第１の移動部材は、前記本体ケースの上面の所定範囲内に満遍なく前記磁場が印加されるように、前記本体ケースに対して段階的に移動可能に前記本体ケースに取り付けられており、
前記第２の移動部材は、前記磁気記録媒体が前記本体ケースの上面に保持された状態で、その中央部に前記磁気記録媒体を収容できる枠体を備えて構成され、この枠体の一端が回動軸によって前記本体ケースの上面の上に回動自在に固定されており、
前記第３の磁場発生源の保持部材には、前記第１の移動部材の段階的な移動可能に対応して、前記第３の磁場発生源を段階的に移動させる前記第３の磁場発生源の位置決め部が設けられており、
前記枠体内に磁気記録媒体を収容した状態で、前記第２の移動部材を前記回動軸を中心にして揺動させると共に、前記第２の移動部材の所定回数の揺動後に、前記第１の移動部材の位置を段階的に順次変更し、前記第１の移動部材に前記第２の磁場発生源が装着されている場合には、前記第３の磁場発生源をその保持部材で前記第１の移動部材の段階的な移動可能に対応して移動させ、各段階において前記第２の移動部材を前記所定回数だけ揺動させることができるように構成されていることを特徴とするデータ消去装置。
【請求項５】
請求項４に記載のデータ消去装置において、
前記枠体の回動軸が設けられている端部と反対側の端部に、前記枠体の揺動を容易にするグリップが突設されており、
前記第３の磁場発生源の保持部材を構成するフレームの、一端には前記グリップを受け入れる凹部が設けられており、他端には前記回動軸を挿通するための貫通孔が設けられているデータ消去装置。
【発明の詳細な説明】
【技術分野】
【０００１】
本発明はデータ消去装置に関し、特に、コンピュータに使用される記憶装置としてのハードディスク装置のデータ消去装置に関する。
【背景技術】
【０００２】
従来、パーソナルコンピュータ等のコンピュータには、プログラムやデータを記憶するための記憶媒体が必要であり、近年、この記憶媒体として、表面に磁気材料を塗布した円板（ディスク）を用いたハードディスク装置が普及している。このハードディスク装置は、コンピュータに内蔵されるか、或いはコンピュータの外部にケーブルを介して接続して用いられるものであり、少なくとも１枚内蔵されたディスクに対して、ヘッドを通じてデータの読み出しと書き込みを行うものである。このハードディスク装置の記憶容量は、年々増加している。
【０００３】
一方、コンピュータは、これを駆動するＯＳ（オペレーティング・システム）の進歩や、ＣＰＵ（中央処理ユニット）の処理能力の高速化、通信機能の拡充、及びハードディスク装置の大容量化等にともなって年々新型が発売されており、旧型のコンピュータは短期間で新型のコンピュータに置き換えられてしまう傾向にある。
【０００４】
ところで、新型のコンピュータへの置き換えによって廃棄される旧型のコンピュータに内蔵されたハードディスク装置や、記憶容量の大きい新型への置換によって廃棄されるハードディスク装置には、ハードディスク装置の使用中に書き込まれた色々なデータが大量に残っている。このようなデータの中には、個人情報や企業の内部情報等の第三者に漏洩すると困るものがある。そこで、ハードディスク装置は、廃棄前にコンピュータのソフトウエアを用いたデータの抹消処理が行われることが一般的である。
【０００５】
しかしながら、このデータの抹消処理は、ハードディスク装置内のディスクに上書きを可能にする処理であり、それまでに記録されたデータが完全にディスク上から消滅している訳ではない。すると、このようにデータが完全に抹消されていないハードディスク装置では、悪意のある第三者が特殊なソフトウエアを使用すれば、残留するデータが読み出されてしまう可能性がある。
【０００６】
ハードディスク装置に記録されたデータを完全に抹消する方法としては、意味のないデータをハードディスク装置の磁気ディスクの全面に書き込む方法、或いは、ハードディスク装置の磁気ディスクを永久磁石等の強力な磁場を通すことにより、強制的にデータを抹消する方法が知られている。前者の方法に対しては、この方法を行うサービス機関や、この方法を行う市販のソフトウエアの存在が知られている。また、後者の方法に対しては、ハードディスク装置のスピンドルモータに印加される磁場の強度を抑制しつつ、磁気ディスクには強い磁場を印加させてデータを消去するデータ消去装置が知られている（例えば、特許文献１参照）。この特許文献１に記載のデータ消去装置は磁気ディスクを再生することが目的であるので、磁気ディスクをスピンドルモータで回転させた状態で、磁気ディスク装置の一端を永久磁石に挟まれた磁場の中を通すことによって磁気ディスク上のデータを消去している。
【０００７】
ところが、前述のような意味のないデータをハードディスク装置の磁気ディスクの全面に書き込む方法は、ハードディスク装置の容量が大きいので、データの書き込みに時間がかかるという問題があり、また、サービス機関への依頼に対しては廃棄コストが上昇するという問題があった。一方、磁気ディスクを強い磁場の中を通して磁気飽和によりデータを消去する特許文献１に記載のデータ消去装置では、スピンドルモータを回転させる設備が必要であり、装置が大がかりになるという問題がある。また、何らかの原因でスピンドルモータが回転しないとデータが完全に消去されないという問題もある。このように、従来のデータ消去装置には、磁気ディスクの再生使用を考慮することなく、廃棄するハードディスク装置からのデータ漏洩を防止することだけを目的としたデータの消去については考慮されていなかった。
【０００８】
そこで、本発明者らは、廃棄するハードディスク装置のような磁気ディスク装置やその他の磁気記録媒体に記憶された水平記録方式のデータの漏洩を防止するために、特許文献２に示されるような、データ消去を簡単な操作で確実に行うことができる可搬型の簡便なデータ消去装置を提案した。
【０００９】
【特許文献１】特開２００１−３３１９０４号公報（特許請求の範囲、図１，図４）
【特許文献２】特開２００４−１１０９０８号公報
【発明の開示】
【発明が解決しようとする課題】
【００１０】
磁気ディスク上にデータを書き込む手段としては、現在のところは水平記録方式が主流であるが、記録密度を上げるために近い将来、垂直記録方式が採用され、垂直記録方式で記録されたデータを消去する必要が出てくる。しかしながら、先に提案されているデータ消去装置では、データを消去するために発生させる磁場が水平方向のみであるので、垂直記録方式で書き込まれた磁気ディスクのデータは、記録磁場が消去用の磁場と直交するため、完全に消去することができないと考えられる。
【００１１】
そこで、本発明は、廃棄するハードディスク装置のような磁気ディスク装置やその他の磁気記録媒体に記憶されたデータが、水平記録方式で記録されたものであっても、垂直記録方式で記録されたものであっても、データ消去を簡単な操作で確実に行うことができるデータ消去装置を提供することを目的としている。
【課題を解決するための手段】
【００１２】
前記目的を達成する本発明は、以下に第１から第３の形態として示される。
【００１３】
第１の形態は、磁気記録媒体に記録されたデータを、Ｎ極とＳ極とを有する永久磁石から発生した磁界を利用して消去するデータ消去装置であって、少なくとも一側面に開口部が設けられ、内部にこの開口部に連続する通路が設けられた本体ケースと、通路の一面に沿って設けられ、少なくとも３つの永久磁石が、互いに吸着し合う極性となるように隣接配置された第１の磁場発生源と、通路の他の面に第１の磁場発生源に対向して設けられた第２の磁場発生源と、磁気記録媒体を収容することができると共に、通路に沿って本体ケース内を往復動することができるサイズのトレイとを備え、第２の磁場発生源の永久磁石は、第１の磁場発生源の永久磁石にそれぞれ対向する少なくとも３つの永久磁石から構成され、対向する永久磁石の少なくとも１組は、磁力線が通路に対して垂直方向に発生するように配置されており、残りの永久磁石は、磁力線が通路に沿った方向に発生するように配置されていることを特徴とするデータ消去装置である。
【００１４】
第１の形態のデータ消去装置においては、第１の磁場発生源にある永久磁石と、第２の磁場発生源にあるの永久磁石とを、それぞれ強磁性体板の上に配置することができる。
【００１５】
第２の形態は、磁気記録媒体に記録されたデータを、Ｎ極とＳ極とを有する永久磁石から発生した磁界を利用して消去するデータ消去装置であって、磁気記録媒体を上面に保持する本体ケースと、２つの永久磁石から構成されてこれらが互いに吸着し合う極性となるように隣接配置された第１の磁場発生源と、１つの永久磁石から構成されて第１の磁場発生源と同じサイズで、その極性が上下方向である第２の磁場発生源と、１つの永久磁石から構成されて第２の磁場発生源と同じサイズで、その極性も同じである第３の磁場発生源と、第１と第２の磁場発生源を交換可能に装着でき、装着した磁場発生源を、本体ケースの内部で所定方向に移動させることができる第１の移動部材と、本体ケースの上面において、磁気記録媒体を磁場発生源の移動方向に略直交する方向に移動させることができる第２の移動部材と、第１の移動部材に第２の磁場発生源が装着された時に、第２の移動部材の上部に取り付けられ、第１の移動部材に装着された第２の磁場発生源に対向する位置に、第３の磁場発生源を装着可能に構成された第３の磁場発生源の保持部材とを備えることを特徴とするデータ消去装置である。
【００１６】
第３の形態は、第２の形態のデータ消去装置において、第１と第２の磁場発生源が、発生した磁場が本体ケースの上面を越えてその上方の空間に達するように強磁性体板に取り付けられており、第１の移動部材が、本体ケースの上面の所定範囲内に満遍なく磁場が印加されるように、本体ケースに対して段階的に移動可能に本体ケースに取り付けられており、第２の移動部材は、磁気記録媒体が本体ケースの上面に保持された状態で、その中央部に磁気記録媒体を収容できる枠体を備えて構成され、この枠体の一端が回動軸によって本体ケースの上面の上に回動自在に固定されており、第３の磁場発生源の保持部材には、第１の移動部材の段階的な移動可能に対応して、第３の磁場発生源を段階的に移動させる第３の磁場発生源の位置決め部が設けられており、枠体内に磁気記録媒体を収容した状態で、第２の移動部材を回動軸を中心にして揺動させると共に、第２の移動部材の所定回数の揺動後に、第１の移動部材の位置を段階的に順次変更し、第１の移動部材に第２の磁場発生源が装着されている場合には、第３の磁場発生源をその保持部材で第１の移動部材の段階的な移動可能に対応して移動させ、各段階において第２の移動部材を所定回数だけ揺動させることができるように構成されていることを特徴とするデータ消去装置である。
【００１７】
第３の形態のデータ消去装置において、枠体の回動軸が設けられている端部と反対側の端部に、枠体の揺動を容易にするグリップを突設し、第３の磁場発生源の保持部材を構成するフレームの、一端にはグリップを受け入れる凹部を設け、他端には回動軸を挿通するための貫通孔を設けることができる。
【発明の効果】
【００１８】
本発明の第１の形態のデータ消去装置には、簡単な操作で、磁気記録装置に内蔵される磁気ディスク等の磁気記録媒体に記録されたデータが水平記録方式でも、垂直記録方式でもどちらでも消去することができるという効果がある。また、第２と第３の形態のデータ消去装置には、磁気記録装置に内蔵される磁気ディスク等の磁気媒体に記録されたデータを消去する永久磁石のサイズを小さくするができると共に、記録されたデータが水平記録方式でも、垂直記録方式でも、磁石を取り替えることによって対応することができるという効果がある。
【発明を実施するための最良の形態】
【００１９】
以下添付図面を用いて本発明の実施形態を具体的な実施例に基づいて詳細に説明する。
【００２０】
図１（ａ）は本発明のデータ消去装置によってデータが消去される磁気ディスク装置１の分解斜視図である。磁気ディスク装置１はハードディスク装置であり、アルミニウム合金製のベース２とカバー９で密閉されている。ベース２の上にはスピンドルモータ３がねじ４によって取り付けられており、スピンドルモータ３には少なくとも１枚の磁気ディスク５がクランプ７を介してねじ８にて固定されている。なお、磁気ディスク５はデータを記憶するためのディスク状の記憶媒体であり、スピンドルモータ３に固定される磁気ディスク５の枚数は、磁気ディスク装置１の仕様によって決定される。磁気ディスク５同士の間、及び磁気ディスク５とクランプ７との間にはスペーサ６が挿入されている。
【００２１】
また、ベース２の上の磁気ディスク５に近接する部位にはアクチュエータ１１が揺動可能に取り付けられている。アクチュエータ１１の先端部には、データを磁気ディスク５に書き込む、或いはデータを磁気ディスク５から読み出すためのヘッドを備えたヘッド部１２がある。また、このヘッド部１２と反対側のアクチュエータ１１の端部は、同じくベース２の上に固定されたボイスコイルモータ（ＶＣＭ）１３によって駆動される。以上説明した部材をベース２の上に取り付けた後に、ねじ１０によってカバー９をベース２に固定すると、図１（ｂ）に示す状態となる。
【００２２】
図２（ａ）は本発明の第１の実施例のデータ消去装置６０の構成を示すものであり、図２（ｂ）はこのデータ消去装置６０により磁気ディスク装置１のデータを消去する原理を説明するものである。第１の実施例のデータ消去装置６０には、一側面に開口部６７が設けられ、内部にこの開口部６７に連続する通路６８が設けられた本体ケース６２がある。この本体ケース６２内の通路６８の上下方向には、磁場発生源が設けられている。
【００２３】
通路６８の下側の面には、強磁性体板から構成されたヨーク２６の上に配置された３つの磁石２７、２８、２９があり、３つの磁石２７、２８、２９の頂面が通路６８と面一になっている。３つの磁石２７、２８、２９のサイズはほぼ同じである。この実施例では、３つの磁石２７、２８、２９は互いに吸着し合う極性となるように隣接配置されている。即ち、通路６８の開口部６７に最も近い磁石２７の極性は、通路６８側がＮ極でヨーク２６側がＳ極であり、真ん中の磁石２８の極性は、通路６８側がＳ極でヨーク２６側がＮ極であり、開口部６７から最も遠い磁石２９の極性は、通路６８側の極性がＮ極でヨーク２６側の極性がＳ極である。
【００２４】
通路６８の上側の面には、強磁性体板から構成されたヨーク２６Ａの上に配置された３つの磁石２７Ａ、２８Ａ、２９Ａがあり、３つの磁石２７Ａ、２８Ａ、２９Ａの頂面が通路６８と面一になっている。また、磁石２７，２８、２９と磁石２７Ａ，２８Ａ、２９Ａの幅は同じであり、磁気ディスク装置１の幅よりも大きく形成されている。この実施例では、３つの磁石２７Ａ、２８Ａ、２９Ａの内、開口部６７側の２つの磁石２７Ａ、２８Ａは互いに吸着し合う極性となるように隣接配置されているが、開口部６７から最も遠い磁石２９Ａの極性は、隣接する磁石２８Ａの極性に対して互いに反発する極性になっている。即ち、通路６８の開口部６７に最も近い磁石２７Ａの極性は、通路６８側がＮ極でヨーク２６Ａ側がＳ極であり、真ん中の磁石２８Ａの極性は、通路６８側がＳ極でヨーク２６Ａ側がＮ極であり、開口部６７から最も遠い磁石２９Ａの極性は、通路６８側がＳ極でヨーク２６側がＮ極である。
【００２５】
第１の実施例のデータ消去装置６０には、以上のように構成された本体ケース６２の他に、このケース６２に出し入れ自在に構成された引き出し式のトレイ６１がある。データを消去しようとする磁気記録媒体である磁気ディスク装置１は、このトレイ６１の上に搭載されてケース６２に対して出し入れされる。
【００２６】
そして、ケース６２内の通路６８に面して配置された磁石２７，２８、２９と、これらに対向して配置された磁石２７Ａ、２８Ａ、２９Ａによって、図２（ｂ）に示すように通路６８に、符号Ａ、Ｂで示す磁場が発生する。符号Ａで示す磁場は、磁石２９から磁石２９Ａに向かう磁束で構成され、通路６８の長手方向に対して垂直な方向の磁場である。一方、符号Ｂで示す磁場は、磁石２７から磁石２８に向かう磁束、磁石２７Ａから磁石２８Ａに向かう磁束、及び磁石２９から磁石２８に向かう磁束で構成され、これらの磁束は通路６８の長手方向に対してほぼ平行な成分を有する。
【００２７】
磁石２７，２８、及びこれに対向する磁石２７Ａ、２８Ａはケース６２の前面側に配置されているので、磁石２７，２８、２７Ａ、２８Ａによって発生する磁場Ｂに対して、水平記録方式で記録された磁気ディスクを内蔵する磁気ディスク装置１が搭載されたトレイ６１を、ケース６２に対して少なくとも１回出し入れすることにより、磁気ディスク装置１内の磁気ディスク５に記録されたデータがこの磁場Ｂによって消去される。即ち、この磁場Ｂによって形成される領域は、水平記録方式で記録された磁気ディスクのデータを消去するデータ消去領域ＥＨである。
【００２８】
一方、磁石２９及びこれに対向する磁石２９Ａはケース６２の奥側（背面側）に配置されているので、磁石２９，２９Ａによって発生する磁場Ａに対して、垂直記録方式で記録された磁気ディスクを内蔵する磁気ディスク装置１が搭載されたトレイ６１は、ケース６２に対して奥まで押し込むことにより、磁気ディスク装置１内の磁気ディスク５に垂直記録王式で記録されたデータがこの磁場Ａによって消去される。即ち、この磁場Ａによって形成される領域は、垂直記録方式で記録された磁気ディスクのデータを消去するデータ消去領域ＥＶである。データ消去領域ＥＨとＥＶの位置は通路６８に対して逆でも良い。即ち、通路６８を挟んで対抗する磁石２９と磁石２９Ａの組は、同じく通路６８を挟んで対抗する磁石２７と磁石２７Ａの組の左側（開口部６７側）にあっても良い。
【００２９】
図３Ａは、水平記録方式でデータを書き込んだ磁気ディスク装置１Ｈを、図２のように構成された第１の実施例のデータ消去装置６０に挿入した状態を示すものである。図３Ａにおける黒矢印は磁場の向きを示し、白抜き矢印はディスク装置１Ｈの移動方向を示す。水平記録方式でデータを書き込んだ磁気ディスク装置１Ｈは、磁石２７，２７Ａ，２８，２８Ａの反発力によって形成されたデータ消去領域ＥＨを所定回数通過させる。すると、磁気ディスク装置１Ｈのスピンドルモータ３に取り付けられた磁気ディスク５は、データ消去領域ＥＨにおける水平方向成分の磁場を通過することにより、水平記録方式で書き込まれたデータが消去される。
【００３０】
図３Ｂは、垂直記録方式でデータを書き込んだ磁気ディスク装置１Ｖを、図２のように構成された第１の実施例のデータ消去装置６０に挿入した状態を示すものである。図３Ｂにおける黒矢印は磁場の向きを示し、白抜き矢印はディスク装置１Ｖの移動方向を示す。垂直記録方式でデータを書き込んだ磁気ディスク装置１Ｖは、磁石２９，２９Ａの吸着力によって形成されたデータ消去領域ＥＶを所定回数通過させる。すると、磁気ディスク装置１Ｖのスピンドルモータ３に取り付けられた磁気ディスク５は、データ消去領域ＥＶにおける垂直方向成分の磁場を通過することにより、垂直記録方式で書き込まれたデータが消去される。このように、第１の実施例のデータ消去装置６０は、磁石の配列を工夫して磁気ディスク装置が垂直、水平、何れの記録方式で記録されていてもそのデータを消去できる点が、これまでの装置にない最大のポイントである。
【００３１】
第１の実施例のデータ消去装置６０では、通路６８に磁石２７，２７Ａ，２８，２８Ａによって形成された水平方向の磁場を、水平記録方式でデータを書き込んだ磁気ディスク装置１Ｈが移動する場合に、磁気ディスク装置１Ｈの上下に水平方向の磁場が存在するので、図２に示したトレイ６１に搭載された磁気ディスク装置１Ｈの上下を逆にして同じ動作を行う必要がない。また、通路６８に磁石２９，２９Ａによって形成された垂直方向の磁場を、垂直記録方式でデータを書き込んだ磁気ディスク装置１Ｖが移動する場合に、磁場は磁気ディスク装置１Ｖを垂直方向に通過するので、図２に示したトレイ６１に搭載された磁気ディスク装置１Ｖの上下を逆にして同じ動作を行う必要がない。
【００３２】
第１の実施例のデータ消去装置６０では、図２に示したトレイ６１に搭載された磁気ディスク装置１Ｈ又は１Ｖを、開口部６７から挿入して通路６８の中を往復動させる必要がある。一方、本発明者らは、トレイに載せた水平記録方式でデータを書き込んだ磁気ディスク装置を、水平方向成分の磁場を持つデータ消去領域を内蔵するデータ消去装置内で往復動させることができる移動機構を備えたデータ消去装置を、特願２００３−２０８０８７で提案している。第１の実施例のデータ消去装置６０は、この特願２００３−２０８０８７で提案したデータ消去装置に適用することが可能であり、この場合には、特願２００３−２０８０８７で提案したデータ消去装置内の磁石の配置を、第１の実施例のデータ消去装置６０と同様にすれば良い。
【００３３】
図４は、本発明の第２の実施例のデータ消去装置５０の構成を分解して示すものである。第２の実施例のデータ消去装置５０は、大きく分けて、第１の移動部材であるスライドトレイ２０、本体３０、第２の移動部材であるスイングトレイ４０、及び磁場発生源の保持部材である磁石トレイ８０とから構成されている。データ消去装置５０は、図の左側が前端側、右側が後端側となっている。よって、第２の実施例では、図の左側をスライドトレイ２０、本体３０、スイングトレイ４０、及び磁石トレイ８０の前端側、右側を後端側として説明する。
【００３４】
スライドトレイ２０は本体３０に対してスライド可能に構成されており、このため本体２１のスライド方向に直交する方向の断面形状は均一である。本体２１の前端側にはスイングトレイ２０をスライドさせるための把手２３が設けられており、把手２３側の本体２１の前端側の上面には後述するスライドトレイ２０の段階的なスライド位置を規定するための溝２２が設けられている。この溝２２の数は第２の実施例では４である。また、本体２１の溝２２に隣接する後端側の部位には磁石取付孔２５が設けられており、この磁石取付孔２５の後端側にはヨーク２６に取り付けられる２つの永久磁石（第１の磁場発生源であり、以後単に磁石と言う）２７，２８が設置されている。また、本体２１の側面には後述するストッパ突起２４が突設されている。
【００３５】
スライドトレイ２０に取り付けられる磁石２７，２８は、ヨーク２６と分離して、これらを合わせたサイズと同じサイズの別の１つの磁石２９（第２の磁場発生源）に交換可能である。磁石２９は、上側がＮ極であり、下側がＳ極となっている。
【００３６】
本体３０は箱型のケース３１から構成されており、その前端面にスライドトレイ２０を受け入れるための凹部３２が開口している。凹部３２の断面形状はスライドトレイ２０のベース２１の断面形状と同じである。この実施例では断面形状は凸型である。また、ケース３１の前端面の所定位置にはラッチレバー３４が回動自在に設けられている。このラッチレバー３４の先端部はスライドトレイ２０の溝２２に嵌合するようになっている。更に、ケース３１の上面にはスイングトレイ４０を取り付けるための取付孔３５が開けられている。そして、ケース３１の上面の後端部にはストッパ３６が突設されている。このストッパ３６は、スイングトレイ４０の揺動範囲を規制するためのものである。
【００３７】
なお、スライドトレイ２０の側面にはストッパ突起２４が突設されているので、凹部３２の断面形状がスライドトレイ２０のベース２１の断面形状と同じであると、スライドトレイ２０は凹部３２にはケース３１の前端面側からは挿入できない。そこで、本体３０のケース３１は組立式になっており、凹部３２の中にスライドトレイ２０を実際に嵌め込む場合には、最初にケース３１の側面が外され、ケース３１内にスライドトレイ２０を収容した後に、外された側面が組み付けられる。
【００３８】
スイングトレイ４０は、中央部に媒体収容孔４２が設けられた矩形状のフレーム４１を備えており、このフレーム４１の前端側の上面にはグリップ４３が突設されている。また、このフレーム４１の後端側には、このフレーム４１を本体３０の上面に軸ピン４４によって回動可能に取り付けるための貫通孔である取付孔４５が設けられている。媒体収容孔４２には、図１に示した磁気ディスク装置１が正立状態、或いは倒立状態でセットされる。そして、スイングトレイ４０はこのグリップ４３に加わる外力によって軸ピン４４を中心にして回動する。本体３０のケース３１の上面に突設されたストッパ３６は、このスイングトレイ４０の揺動範囲を規制するためのものである。
【００３９】
磁石トレイ８０は、第３の磁場発生源である磁石２９Ａを保持するためのものであり、スライドトレイ２０に磁石２９が取り付けられた時に使用されるものである。磁石トレイ８０のフレーム８１の外形は、この実施例ではスイングトレイ４０の外形に一致しており、中央部に磁石２９Ａを収容する磁石収容孔８２が設けられた矩形状をしている。フレーム８１の前端側には、フレーム４１上に載置された時にグリップ４３を収容するグリップ収容溝８３が設けられている。また、このフレーム８１の後端側には、フレーム４１に重ね合わされた時に、フレーム４１に設けられた取付孔４５に重なる貫通孔８５が設けられている。フレーム８１をフレーム４１の上に重ね合わせて取り付ける場合には、軸ピン４４に代えて、フレーム８１の肉厚分だけ軸長が長い長軸ピン４４Ｌを使用する。
【００４０】
磁石トレイ８０の磁石収容孔８２に収容される第３の磁場発生源である磁石２９Ａは、磁石２９Ａの両端部に設けられた突起２９Ｐを除いて磁石２９と同じ形状、同じ極性を備えている。一方、磁石トレイ８０の磁石収容孔８２には、磁石２９Ａに設けられた突起２９Ｐを受け入れて位置決めする位置決め溝８４が設けられている。位置決め溝８４の数は、スライドトレイ２０の側面に設けられた溝２２の数と同じであり、４つである。また、位置決め溝８４の間隔は、溝２２の間隔と同じである。
【００４１】
そして、磁石２９を取り付けたスライドトレイ２０を本体３０の箱型のケース３１設けられた凹部３２に挿入し、最も奥まで押し込んでスライドトレイ２０の最も前端側の溝２２をラッチレバー３４で係止した状態の時に、スイングトレイ４１の上に磁石トレイ８０を取り付けて、貫通孔８５に最も近い位置決め溝８４に磁石２９Ａの突起２９Ｐを嵌合すると、磁石２９Ａが本体３０内にある磁石２９の真上に位置するようになっている。
【００４２】
以上のように構成された第２の実施例のデータ消去装置５０を使用して、まず、ディスクに水平記録方式でデータが記録された磁気ディスク装置１Ｈのデータを消去する場合について、図５から図９及び図１４を用いて説明する。この場合には、図４に示すように、スライドトレイ２０には磁石２７，２８を取り付け、ケース３１の上面にはスイングトレイ４０のみを軸ピン４４で取り付けて、媒体収容孔４２に磁気ディスク装置１Ｈ等を装着する。磁石トレイ８０、磁石２９，２９Ａ、及び長軸ピン４４Ｌはこの場合には使用しない。
【００４３】
図５（ａ）は、図４に示したデータ消去装置５０を組み立ててスライドトレイ２０を本体３０内に完全に挿入した状態を示すものである。この状態では、スライドトレイ２０のベース２１の上面に設けられた溝２２の中の最も前端側のものがケース３１から露出している。そして、ラッチレバー３４を回転させてこの溝２２に係合させれば、スライドトレイ２０が本体３０に対して最も没入した状態で固定される。
【００４４】
図５（ｂ）は、図５（ａ）に示したスライドトレイ２０を本体３０から最大限引き出した状態を示すものである。この状態では、スライドトレイ２０のベース２１の上面に設けられた４つの溝２２が全てケース３１から露出している。従って、ラッチレバー３４を回転させてこの最も後端側の溝２２に係合させれば、スライドトレイ２０が本体３０から最も引き出された状態で固定される。スライドトレイ２０は、図５（ａ）に示した状態と図５（ｂ）に示した状態の間で、本体３０に対して４段階の引き出し位置をとることができる。
【００４５】
図６（ａ）は本発明のデータ消去装置５０により水平記録方式で記録された磁気ディスク装置１Ｈのデータを消去する原理を説明するものであり、図６（ｂ）は図６（ａ）の磁石２７，２８の磁束方向を説明するものである。本発明では、ヨーク２６の上に、磁石２７は上側がＮ極、下側がＳ極となるように配置され、磁石２８は逆に上側がＳ極、下側がＮ極となるように配置されている。つまり、磁石２７，２８は、互いに吸着し合う極性となるように隣接配置されており、磁石２７，２８は磁場発生手段として機能する。磁場発生手段としてみれば、その表裏面において異なる極性同士が隣接している。
【００４６】
磁石２７のＮ極から出た磁束は、ヨーク２６がない場合には、外部空間を経由して磁石２８のＳ極に戻る。一方、磁石２７，２８の下側にヨーク２６が取り付けられている場合には、磁石２８のＮ極から出た磁束は、外部空間に漏れずにヨーク２６内を通って磁石２７のＳ極に戻る。ヨーク２６の機能は、ヨーク２６が設けられていない側における磁束密度の向上（ミラー効果）、及びヨーク２６が設けられている側における外部空間への不要な磁束の漏れを抑制することである。また、磁石２７，２８を前述のようにヨーク２６の上に配置した場合、磁石２７から外部空間を経由して磁石２８に戻る磁束は、図６（ａ）に矢印で示す、磁石２７と磁石２８が隣接する部分の中央部分Ｍが最も強いことも知られている。この部分を磁束最大領域Ｍと記す。なお、ヨーク２６は一体ではなく、分割部材を組み立てて構成しても良い。
【００４７】
一方、磁気ディスク５のデータは、図７（ｂ）に示すように、水平磁気記録方式を採用していることから、磁気ディスク５に記録されたデータを消去するためには、磁気ディスク５と平行な方向の磁場を利用することが望ましい。そこで、本発明では、図７（ａ）に示すように、磁気ディスク装置１Ｈのスピンドルモータ３に取り付けられた磁気ディスク５に記録されたデータを消去するために、磁気ディスク装置１が磁石２７，２８の上に置かれるようにし、両者を相対的に前後方向（Ｙ方向）及び左右方向（Ｘ方向）に移動させるようにしている。このようにすれば、磁石２７，２８によって発生する磁場領域の水平方向の成分を利用して磁気ディスク５に記録されたデータを消去することができる。
【００４８】
なお、磁気ディスク５に記録されたデータを消去するための磁場の強度は、磁気ディスク５の保磁力よりも大きいことが必要である。そこで、磁石２７，２８には、高保磁力の磁気ディスク５に記録されたデータを確実に消去するために、磁束密度の高いＮｄ−Ｆｅ−Ｂ系の磁石を使用することが望ましい。一方、磁石２７，２８のヨーク２６からはその外部空間への不要な漏れ磁束を抑制することが望ましい。よって、ヨーク２６の材料としては、強磁性体、例えば、ＪＩＳ  ＳＳ４００を使用することが望ましい。
【００４９】
また、磁石２７と磁石２８の磁束最大領域Ｍが、確実に磁気ディスク５のデータ消去部分を通過するように構成することも望ましい。更に、磁気ディスク装置１Ｈに図７（ａ）に示すように複数枚の磁気ディスク５がある場合には、どうしても磁石２７，２８から遠い方の磁気ディスク５のデータが消去されにくい。よって、このような場合には、磁気ディスク装置１Ｈの上下を逆にして、再度データの消去動作を行うようにすれば、確実に磁気ディスク５に記録されたデータを消去することができる。
【００５０】
本発明では、以上説明したように、磁石２７，２８の配置で得られた磁場を利用して、図１に示した磁気ディスク装置１Ｈのカバー９内に設けられた磁気ディスク５に水平記録方式で記憶されたデータを消去する。この場合、磁場が磁気ディスク５の全面に当たるようにするためには、磁石２７，２８のサイズを大きくすれば良い。しかしながら、磁石２７，２８のサイズをその磁場が磁気ディスク５の全面に当たるように大きくすると、磁石２７，２８の重量が非常に大きくなって持ち運びが困難になるばかりか、磁石２７，２８の値段が高くなってしまう。また、限られた磁場を磁気ディスク５の全面に当てるために、磁気ディスク５をスピンドルモータ３で回転させる方法も考えられるが、モータが回転しなかった場合には磁気ディスク５のデータが完全に消去されなくなるので、安全性に問題がある。
【００５１】
そこで、本発明の第２の実施例のデータ消去装置５０では、図４，図５でその構成を説明したように、できるだけ磁石２７，２８のサイズを小さくする一方、磁石２７，２８からの磁場が磁気ディスク５の全面に当たるように、磁石２７，２８と磁気ディスク５とを相対的に移動させている。即ち、磁石２７，２８はスライドトレイ２０によってデータ消去装置５０の前後方向（Ｙ方向）に移動させ、磁気ディスク５はスイングトレイ４０によって磁石２７，２８に対して略左右方向（Ｘ方向）に移動させることによってこれを実現している。
【００５２】
よって、ここで、本発明の第２の実施例のデータ消去装置５０を用いて、磁気ディスク装置１Ｈ内の磁気ディスク５に水平記録方式で記録されたデータを完全に消去する方法について図８、図９及び図１４を用いて説明する。
【００５３】
図８（ａ）は図５（ａ）に示した状態のデータ消去装置５０の平面図であり、スライドトレイ２０にある磁石２７，２８の位置と、スイングトレイ４０に磁気ディスク装置１が取り付けられた場合の、装置内の磁気ディスク５の位置との関係を示すものである。また、図９（ａ）は図８（ａ）の状態を側面から見た状態を示すものである。第２の実施例では、図９（ａ）に示す位置において、磁石２７，２８の磁束最大領域Ｍが、スイングトレイ４０に取り付けられた磁気ディスク装置１内の磁気ディスク５の後端側の端部からその直径の４分の１の部分の範囲に入るように、磁石２７，２８がスライドトレイ２０に配置されている。このとき、スライドトレイ２０の側面に突設されたストッパ突起２４は、本体３０のケース３１の内部に設けられたガイド溝３７の後端側の端部に当接する位置にある。
【００５４】
この状態で図８（ｂ）に示すように、グリップ４３を把持してスイングトレイ４０を、実線で示す位置から破線で示す位置まで揺動させると、磁気ディスク５は二点鎖線で示すように磁石２７，２８の上を略左右方向に移動する。ここで、磁気ディスク５側から見た磁石２７，２８の相対的な移動領域を図１４に領域（ａ）で示す。この図から分かるように、図９（ａ）に示す状態でスイングトレイ４０を揺動させることにより、磁気ディスク５の直径の４分の１の領域（ａ）のデータを、磁石２７，２８によって消去することができる。
【００５５】
次に、図９（ａ）の状態から、前述のラッチレバー３４（図４，図５参照）を外し、把手２３を引くことにより、２つ目の溝２２がケース３１から露出する距離分だけスライドトレイ２０をケース３１から引き出し、図９（ｂ）の状態にして前述のラッチレバー３４で固定する。この状態では、磁石２７，２８の磁束最大領域Ｍは、スイングトレイ４０に取り付けられた磁気ディスク装置１Ｈ内の磁気ディスク５の中心位置から、その直径の４分の１だけ後端部側の部分の範囲に位置する。
【００５６】
そして、この状態で前述のようにグリップ４３を把持してスイングトレイ４０を揺動させる。この時の磁気ディスク５側から見た磁石２７，２８の相対的な移動領域を図１４に領域（ｂ）で示す。この図から分かるように、図９（ｂ）に示す状態でスイングトレイ４０を揺動させることにより、図９（ａ）に示す状態でスイングトレイ４０を揺動させることにより消去された磁気ディスク５のデータ領域に隣接する、磁気ディスク５の直径の４分の１の領域（ｂ）のデータを、磁石２７，２８によって消去することができる。
【００５７】
更に、図９（ｂ）の状態から、前述のラッチレバー３４（図４，図５参照）を外し、把手２３を引くことにより、３つ目の溝２２がケース３１から露出する距離分だけスライドトレイ２０をケース３１から引き出し、図９（ｃ）の状態にして前述のラッチレバー３４で固定する。この状態では、磁石２７，２８の磁束最大領域Ｍは、スイングトレイ４０に取り付けられた磁気ディスク装置１Ｈ内の磁気ディスク５の中心位置から、その直径の４分の１だけ前端部側の部分の範囲に位置する。
【００５８】
そして、この状態で前述のようにグリップ４３を把持してスイングトレイ４０を揺動させる。この時の磁気ディスク５側から見た磁石２７，２８の相対的な移動領域を図１４に領域（ｃ）で示す。この図から分かるように、図９（ｃ）に示す状態でスイングトレイ４０を揺動させることにより、図９（ｂ）に示す状態でスイングトレイ４０を揺動させることにより消去された磁気ディスク５のデータ領域に隣接する、磁気ディスク５の直径の４分の１の領域（ｃ）のデータを、磁石２７，２８によって消去することができる。
【００５９】
最後に、図９（ｃ）の状態から、前述のラッチレバー３４（図４，図５参照）を外し、把手２３を引いてスライドトレイ２０の側面に突設されたストッパ突起２４が、本体３０のケース３１の内部に設けられたガイド溝３７の前端側の端部に当接する図９（ｄ）に示す状態にする。すると、４つ目の溝２２がケース３１から露出するので、前述のラッチレバー３４で固定する。この状態では、磁石２７，２８の磁束最大領域Ｍは、スイングトレイ４０に取り付けられた磁気ディスク装置１Ｈ内の磁気ディスク５の前端側の端部からその直径の４分の１の部分の範囲に位置する。
【００６０】
そして、この状態で前述のようにグリップ４３を把持してスイングトレイ４０を揺動させる。この時の磁気ディスク５側から見た磁石２７，２８の相対的な移動領域を図１４に領域（ｄ）で示す。この図から分かるように、図９（ｄ）に示す状態でスイングトレイ４０を揺動させることにより、図９（ｃ）に示す状態でスイングトレイ４０を揺動させることにより消去された磁気ディスク５のデータ領域に隣接する、磁気ディスク５の直径の４分の１の領域（ｄ）のデータを、磁石２７，２８によって消去することができる。
【００６１】
このように、本体３０のケース３１からスライドトレイ２０を、４段階に分けて引き出し、各段階においてスライドトレイ４０を揺動させることにより、磁気ディスク５の４分の１程度の小さなサイズの磁石２７，２８で、磁気ディスク５の全面に記録されたデータを消去することができる。なお、この後にスイングトレイ４０にセットした磁気ディスク装置１Ｈの上下を逆にして、前述の動作をスライドトレイ２０を本体３０内に没入される側に移動させて逆の順序で行えば、磁気ディスク装置１の磁気ディスク５に記録されたデータを一層完全に消去することができる。
【００６２】
次に、第２の実施例のデータ消去装置５０を使用して、ディスクに垂直記録方式でデータが記録された磁気ディスク装置のデータを消去する場合について、図１０から図１４を用いて説明する。この場合には、図１０に示すように、スライドトレイ２０には磁石２９を取り付け、ケース３１の上面には媒体収容孔４２に磁気ディスク装置１Ｖ等を装着したスイングトレイ４０を、取付孔４５がケース３１の取付孔３５に重なるようにして載置する。そして、スイングトレイ４０の上に、磁石２９Ａを最も後端位置に取り付けた磁石トレイ８０を、グリップ収容溝８３をグリップ４３に係合させた状態で載置し、貫通孔８５をスイングトレイ４０の取付孔４５に合わせ、長軸ピン４４Ｌを挿通する。
【００６３】
図１１（ａ）は、図１０に示したデータ消去装置５０を組み立ててスライドトレイ２０を本体３０内に完全に挿入した状態を示すものである。この状態では、スライドトレイ２０のベース２１の上面に設けられた溝２２の中の最も前端側のものがケース３１から露出している。そして、ラッチレバー３４を回転させてこの溝２２に係合させれば、スライドトレイ２０が本体３０に対して最も没入した状態で固定される。
【００６４】
図１１（ｂ）は、図１１（ａ）に示したスライドトレイ２０を本体３０から最大限引き出した状態を示すものである。この状態では、スライドトレイ２０のベース２１の上面に設けられた４つの溝２２が全てケース３１から露出している。従って、ラッチレバー３４を回転させてこの最も後端側の溝２２に係合させれば、スライドトレイ２０が本体３０から最も引き出された状態で固定される。スライドトレイ２０は、図１１（ａ）に示した状態と図１１（ｂ）に示した状態の間で、本体３０に対して４段階の引き出し位置をとることができる。
【００６５】
図１２（ａ）は本発明のデータ消去装置５０により磁気ディスク装置１Ｖに垂直記録方式で記録されたデータを消去する原理を説明するものであり、磁石２９，２９Ａの磁束方向が示されている。この実施例では、ヨーク２６の上に、磁石２９が上側がＮ極、下側がＳ極となるように配置されている。そして、磁石２９Ａは通路６８を隔てて上側がＮ極、下側がＳ極となるように配置されている。つまり、磁石２９，２９Ａは、互いに吸着し合う極性となるように通路６８を隔てて配置されており、磁石２９のＮ極から出た磁束は、磁石２９ＡのＳ極に向かう。即ち、磁場が磁石２９から磁石２９Ａに向かう方向に発生しており、磁石２９，２９Ａは磁場発生手段として機能している。
【００６６】
一方、磁気ディスク５のデータは、図１２（ｂ）に示すように、垂直磁気記録方式を採用していることから、１つのトラック５１の磁性粒子５２は、磁気ディスク５の平面に対して垂直方向に磁化されている。よって、磁気ディスク５に記録されたデータを消去するためには、磁気ディスク５に垂直な方向の磁場を利用することが望ましい。そこで、本発明では、図１２（ａ）に示すように、磁気ディスク装置１Ｖの中にある磁気ディスク５に記録されたデータを消去するために、磁気ディスク装置１Ｖが磁石２９，２９Ａによって発生する磁場の中を移動させるようにしている。このようにすれば、磁石２９，２９Ａによって発生する磁場領域の垂直方向の成分を利用して磁気ディスク５に記録されたデータを消去することができる。磁石２９，２９Ａは、磁石２７，２８と同じく磁束密度の高いＮｄ−Ｆｅ−Ｂ系の磁石を使用すれば良い。また、磁石２９ＡのＮ極側にヨークを設けても良い。
【００６７】
この実施例では、以上説明したように、磁石２９，２９Ａの配置で得られた磁場を利用して、図１に示した磁気ディスク装置１Ｖのカバー９内に設けられた磁気ディスク５に垂直記録されたデータを消去する。そして、前述のように、磁場が磁気ディスク５の全面に当たるようにするために、磁石２９，２９Ａのサイズを小さくする一方、磁石２９，２９Ａからの磁場が磁気ディスク５の全面に当たるように、磁石２９，２９Ａと磁気ディスク５とを前述の機構により相対的に移動させている。即ち、磁石２９はスライドトレイ２０によってデータ消去装置５０の前後方向（Ｙ方向）に移動させ、磁気ディスク５と磁石２９Ａはスイングトレイ４０によって磁石２９に対して略左右方向（Ｘ方向）に移動させることによってこれを実現している。
【００６８】
ここで、本発明の第２の実施例のデータ消去装置５０を用いて、磁気ディスク装置１Ｖ内の磁気ディスク５に垂直記録されたデータを完全に消去する方法について図８、図１３、及び図１４を用いて説明する。なお、スイングトレイ４０に磁気ディスク装置１Ｖと磁石２９Ａが取り付けられた場合の、スライドトレイ２０にある磁石２９の位置と磁気ディスク５の位置の関係は、図８（ａ）で説明した水平記録方式の場合と同じであるので、ここではその説明を簡略化する。
【００６９】
図８（ａ）は図１１（ａ）に示した状態のデータ消去装置５０の平面図であり、スライドトレイ２０にある磁石２９の位置と、スイングトレイ４０に磁気ディスク装置１Ｖと磁石２９Ａが取り付けられた場合の、磁気ディスク５の位置との関係を示すものである。また、図１３（ａ）は図８（ａ）の状態を側面から見た状態を示すものである。第２の実施例では、図１３（ａ）に示す位置において、磁石２９，２９Ａによって発生する磁束が、スイングトレイ４０に取り付けられた磁気ディスク装置１Ｖ内の磁気ディスク５の後端側の端部からその直径の４分の１の部分の範囲に入るように、磁石２９，２９Ａがスライドトレイ２０と磁石トレイ（図示せず）に配置されている。
【００７０】
図８（ｂ）に示すように、スイングトレイ４０を実線で示す位置から破線で示す位置まで揺動させると、磁気ディスク５と磁石２９Ａは二点鎖線で示すように磁石２９の上を略左右方向に移動する。ここで、磁気ディスク５側から見た磁石２９の相対的な移動領域を図１４に領域（ａ）で示す。この図から分かるように、図１３（ａ）に示す状態でスイングトレイ４０を揺動させることにより、磁気ディスク５の直径の４分の１の領域（ａ）の垂直記録データを、磁石２９，２９Ａによって消去することができる。
【００７１】
次に、図１３（ａ）の状態から、前述のラッチレバー３４（図１１参照）と溝２２の関係を変更して、図１３（ｂ）の状態にして前述のラッチレバー３４で固定する。この状態では、磁石２９，２９Ａによる磁束は、磁気ディスク５の中心位置から、その直径の４分の１だけ後端部側の部分の範囲に位置する。そして、この状態で前述のようにスイングトレイ４０を揺動させる。この時の磁気ディスク５側から見た磁石２９の相対的な移動領域を図１４に領域（ｂ）で示す。この図から分かるように、図１３（ｂ）に示す状態でスイングトレイ４０を揺動させることにより、図１３（ａ）に示す状態で消去された磁気ディスク５のデータ領域に隣接する、磁気ディスク５の直径の４分の１の領域（ｂ）の垂直記録データを、磁石２９，２９Ａによって消去することができる。
【００７２】
更に、図１３（ｂ）の状態から、溝２２を１つずらして図１３（ｃ）の状態にして前述のラッチレバー３４で固定する。この状態では、磁石２９，２９Ａによる磁束は、磁気ディスク５の中心位置から、その直径の４分の１だけ前端部側の部分の範囲に位置する。そして、この状態で前述のようにスイングトレイ４０を揺動させる。この時の磁気ディスク５側から見た磁石２９の相対的な移動領域を図１４に領域（ｃ）で示す。この図から分かるように、図１３（ｃ）に示す状態でスイングトレイ４０を揺動させることにより、図１３（ｂ）に示す状態で消去された磁気ディスク５のデータ領域に隣接する、磁気ディスク５の直径の４分の１の領域（ｃ）の垂直記録データを、磁石２９，２９Ａによって消去することができる。
【００７３】
最後に、図１３（ｃ）の状態から、溝２２を更に１つずらして図１３（ｄ）に示す状態にする。この状態では、磁石２９，２９Ａによる磁束は、磁気ディスク５の前端側の端部からその直径の４分の１の部分の範囲に位置する。そして、この状態で前述のようにスイングトレイ４０を揺動させる。この時の磁気ディスク５側から見た磁石２９の相対的な移動領域を図１４に領域（ｄ）で示す。この図から分かるように、図１３（ｄ）に示す状態で消去された磁気ディスク５のデータ領域に隣接する、磁気ディスク５の直径の４分の１の領域（ｄ）の垂直記録データを、磁石２９，２９Ａによって消去することができる。
【００７４】
このように、第２の実施例のデータ消去装置５０では、磁石の交換と磁石トレイの追加により、本体３０のケース３１からスライドトレイ２０を４段階に分けて引き出し、各段階においてスライドトレイ４０を揺動させることにより、磁気ディスク５の４分の１程度の小さなサイズの磁石２９，２９Ａで、磁気ディスク５の全面に垂直記録されたデータを消去することができる。
【００７５】
また、第２の実施例のデータ消去装置では、水平記録方式でデータが記録された磁気ディスク装置１Ｈのデータを消去する場合に、図４に示したようにスライドトレイには磁石２７，２８を装着しておき、磁気ディスク装置１Ｈを収容したスイングトレイ４０の上に磁石トレイ８０を長軸ピン４４Ｌによって取り付け、磁石トレイ８０の磁石収容孔８２には、磁石２７，２８をそれぞれ上下逆にして接着し、磁石２９Ａと同様に突起を設けたものを取り付け、前述のデータ消去方法と同じ操作を行えば、スイングトレイ４０に収容した磁気ディスク装置１Ｈの上下をひっくり返さなくてもデータを確実に消去することができる。
【００７６】
なお、以上説明した第２の実施例のデータ消去装置５０では、図１５（ａ）に示すように、スイングトレイ４０の媒体収容孔４２内の長手方向に、磁気ディスク装置１をセットして、磁気ディスク装置１に内蔵された磁気ディスクに記録されたデータを消去する例を説明した。一方、第２の実施例のデータ消去装置５０のスイングトレイ４０の媒体収容孔４２の短手方向の長さは、別の記録媒体、例えばライブラリ装置に使用される磁気記録媒体である磁気テープカートリッジ１４、がセットできる長さとなっている（図１５（ｂ）参照）。このように、本発明のデータ消去装置５０は、スイングトレイ４０に設ける媒体収容孔４２の形状により、複数種類の磁気記録媒体に記録されたデータを、その磁気記録媒体への記録が水平記録でも、垂直記録でも、装置構成を変更することにより消去することができる。更に、本発明のデータ消去装置５０の軸ピン４４を本体３０から外して、スイングトレイ４０を磁気記録媒体に対応させて交換可能にしておけば、更に多くの種類の磁気記録媒体のデータ消去に、本発明のデータ消去装置５０を使用することができる。
【００７７】
なお、以上の実施例では、データ消去装置５０、６０によってデータが消去される磁気記録媒体として、磁気ディスク装置（ハードディスク装置）１と磁気テープカートリッジ１４の例を説明したが、本発明のデータ消去装置５０、６０によってデータが消去される磁気記録媒体は特に限定されるものではない。
【００７８】
以上、本発明を特にその好ましい実施の形態を参照して詳細に説明した。本発明の容易な理解のために、本発明の具体的な形態を以下に付記する。
（付記１）磁気記録媒体(1) に記録されたデータを、Ｎ極とＳ極とを有する永久磁石(27,28,29,29A)から発生した磁界を利用して消去するデータ消去装置(60)であって、
少なくとも一側面に開口部(67)が設けられ、内部にこの開口部(67)に連続する通路(68)が設けられた本体ケース(62)と、
前記通路(68)の一面に沿って設けられ、少なくとも３つの永久磁石(27,28,29) が、互いに吸着し合う極性となるように隣接配置された第１の磁場発生源と、
前記通路(68)の他の面に前記第１の磁場発生源に対向して設けられた第２の磁場発生源と、
前記磁気記録媒体(1) を収容することができると共に、前記通路(68)に沿って前記本体ケース(62)内を往復動することができるサイズのトレイ(61)とを備え、
前記第２の磁場発生源の永久磁石は、前記第１の磁場発生源の永久磁石にそれぞれ対向する少なくとも３つの永久磁石(27A,28A,29A)から構成され、対向する永久磁石の少なくとも１組は磁力線が前記通路(68)に対して垂直方向に発生するように配置されており、残りの永久磁石は、磁力線が前記通路(68)に沿った方向に発生するように配置されていることを特徴とするデータ消去装置(60)。（１)
【００７９】
（付記２）付記１に記載のデータ消去装置(60)において、
前記第１の磁場発生源にある永久磁石(27,28,29)と、前記第２の磁場発生源にある永久磁石(27A,28A,29A)とが、それぞれ強磁性体板(26，26A)の上に配置されていることを特徴とするデータ消去装置。（２）
【００８０】
（付記３）付記１又は２に記載のデータ消去装置(60)において、
前記第１の磁場発生源にある永久磁石の数が、前記第２の磁場発生源にある永久磁石の数とが、それぞれ３個ずつであることを特徴とするデータ消去装置。
【００８１】
（付記４）付記３に記載のデータ消去装置(60)において、
前記第１の磁場発生源にある３個の永久磁石の前記通路(68)側の極性が、前記開口部(67)側からＮ極、Ｓ極、Ｎ極となっており、前記第２の磁場発生源にある３個の永久磁石の前記通路(68)側の極性が、前記開口部(67)側からＮ極、Ｓ極、Ｓ極となっていることを特徴とするデータ消去装置。
【００８２】
（付記５）磁気記録媒体(1) に記録されたデータを、Ｎ極とＳ極とを有する永久磁石(27,28,29,29A) から発生した磁界を利用して消去するデータ消去装置(50)であって、
前記磁気記録媒体(1) を上面に保持する本体ケース(31)と、
２つの永久磁石(27,28)からなり、これらが互いに吸着し合う極性となるように隣接配置された第１の磁場発生源と、
１つの永久磁石(29A)からなり、前記第１の磁場発生源と同じサイズで、その極性が上下方向である第２の磁場発生源と、
１つの永久磁石(29)からなり、前記第２の磁場発生源と同じサイズで、その極性も同じである第３の磁場発生源と、
前記第１と第２の磁場発生源を交換可能に装着でき、装着した前記磁場発生源を前記本体ケース(31)の内部で所定方向に移動させることができる第１の移動部材(20)と、
前記本体ケース(31)の上面において、前記磁気記録媒体(1) を前記磁場発生源の移動方向に略直交する方向に移動させることができる第２の移動部材(40)と、
前記第１の移動部材(20)に前記第２の磁場発生源が装着された時に、前記第２の移動部材(40)の上部に取り付けられ、前記第１の移動部材(20)に装着された前記第２の磁場発生源に対向する位置に前記第３の磁場発生源を装着可能に構成された第３の磁場発生源の保持部材(80)と、を備えることを特徴とするデータ消去装置。（３）
【００８３】
（付記６）付記５に記載のデータ消去装置(50)において、
前記第１と第２の磁場発生源は、発生した磁場が前記本体ケース(31)の上面を越えてその上方の空間に達するように強磁性体板(26)に取り付けられており、
前記第１の移動部材(20)は、前記本体ケース(31)の上面の所定範囲内に満遍なく前記磁場が印加されるように、前記本体ケース(31)に対して段階的に移動可能に前記本体ケース(31)に取り付けられており、
前記第２の移動部材(40)は、前記磁気記録媒体(1) が前記本体ケース(31)の上面に保持された状態で、その中央部に前記磁気記録媒体(1) を収容できる枠体(41)を備えて構成され、この枠体(41)の一端が回動軸(44)によって前記本体ケース(31)の上面の上に回動自在に固定されており、
前記第３の磁場発生源の保持部材(80)には、前記第１の移動部材(20)の段階的な移動可能に対応して、前記第３の磁場発生源を段階的に移動させる前記第３の磁場発生源の位置決め部が設けられており、
前記枠体(41)内に磁気記録媒体(1) を収容した状態で、前記第２の移動部材(40)を前記回動軸(44)を中心にして揺動させると共に、前記第２の移動部材(40)の所定回数の揺動後に、前記第１の移動部材(20)の位置を段階的に順次変更し、前記第１の移動部材(20)に前記第２の磁場発生源が装着されている場合には、前記第３の磁場発生源をその保持部材(80)で前記第１の移動部材(20)の段階的な移動可能に対応して移動させ、各段階において前記第２の移動部材(40)を前記所定回数だけ揺動させることができるように構成されていることを特徴とするデータ消去装置(50)。（４）
【００８４】
（付記７）付記６に記載のデータ消去装置(50)において、
前記枠体(41)の回動軸(44)が設けられている端部と反対側の端部に、前記枠体(41)の揺動を容易にするグリップ(43)が突設されており、
前記第３の磁場発生源の保持部材(80)を構成するフレーム(41)の、一端には前記グリップ(43)を受け入れる凹部(83)が設けられており、他端には前記回動軸(44)を挿通するための貫通孔(85)が設けられているデータ消去装置(50)。（５）
【００８５】
（付記８）付記６又は７に記載のデータ消去装置(50)において、
前記第１の移動部材(20)の前記本体ケース(31)から遠い方の端部に、前記第１の移動部材(20)の移動を容易にするための把手(23)が設けられていることを特徴とするデータ消去装置(50)。
【００８６】
（付記９）付記６から８の何れか１項に記載のデータ消去装置(50)において、
前記第１の移動部材(20)の上面に所定間隔で溝(22)が設けられていると共に、前記本体ケース(31)にはこの溝(22)に係合して前記第１の移動部材(20)の移動を係止するラッチレバー(34)が設けられているデータ消去装置(50)。
【００８７】
（付記１０）付記６から９の何れかに記載のデータ消去装置(50)において、
前記第１の移動部材(20)の側面にストッパ突起(24)が設けられていると共に、前記本体ケース(31)の内面にはこのストッパ突起(24)を受け入れて前記第１の移動部材(20)の移動範囲を規定するガイド溝(37)が設けられているデータ消去装置(50)。
【００８８】
（付記１１）付記６から１０の何れかに記載のデータ消去装置(50)において、
前記永久磁石(27,28) のサイズは、その磁束最大領域(M) の長さが前記枠体(41)内に収容する磁気記録媒体(1) のデータ消去範囲の長さよりも小さいサイズであり、前記溝(22)の数と間隔が、前記永久磁石(27,28) の磁束最大領域(M) の長さと、前記磁気記録媒体(1) のデータ消去範囲の長さに応じて定められているデータ消去装置(50)。
【００８９】
（付記１２）付記１１に記載のデータ消去装置(50)において、
前記磁気記録媒体(1) が磁気ディスク装置であり、前記永久磁石(27,28) の磁束最大領域(M) の長さが、前記磁気ディスク装置に内蔵される磁気ディスク(1) の直径の４分の１に設定され、前記溝(22)の数が４であり、前記溝(22)の間隔が前記永久磁石(27,28) の磁束最大領域(M) の長さに等しくなっているデータ消去装置(50)。
【００９０】
（付記１３）付記６から１２の何れかに記載のデータ消去装置(50)において、
前記本体ケース(31)の上面に、前記第２の移動部材(40)の揺動範囲を規定するストッパ(36)が設けられているデータ消去装置(50)。
【００９１】
（付記１４）付記６から１３の何れかに記載のデータ消去装置(50)において、
前記磁気記録媒体(1) を収容するために前記枠体(41)の中央部に設けられた媒体収容孔(42)の形状が、複数種類の磁気記録媒体を収容可能な形状になっているデータ消去装置(50)。
【００９２】
（付記１５）付記６から１４の何れかに記載のデータ消去装置(50)において、
前記枠体(41)を、他の磁気記録媒体を収容するために前記媒体収容穴(42)の形状が異なる別の枠体に交換可能なデータ消去装置(50)。
【図面の簡単な説明】
【００９３】
【図１】（ａ）は本発明のデータ消去装置によってデータが消去される磁気ディスク装置の分解斜視図、（ｂ）は（ａ）の磁気ディスク装置を組み立てた状態を示す磁気ディスク装置の斜視図である。
【図２】（ａ）は本発明の第１の実施例のデータ消去装置の構成を示す透視図、（ｂ）は本発明の第１の実施例のデータ消去装置により磁気ディスク装置のデータを消去する原理を説明する説明図である。
【図３】（ａ）は本発明の第１の実施例のデータ消去装置により、水平記録方式でデータが記録された磁気ディスクのデータが消去される情況を説明する図、（ｂ）は第１の実施例のデータ消去装置により、垂直記録方式でデータが記録された磁気ディスクのデータが消去される情況を説明する図である。
【図４】本発明の第２の実施例のデータ消去装置の構成を示す分解斜視図である。
【図５】（ａ）は図４に示したデータ消去装置を組み立て、水平記録方式でデータが記録された磁気ディスク装置をスイングトレイに装着し、スライドトレイを本体内に完全に挿入した状態を示すデータ消去装置の斜視図、（ｂ）は（ａ）に示したスライドトレイを最大限引き出した状態を示すデータ消去装置の斜視図である。
【図６】（ａ）は本発明のデータ消去装置により水平記録方式でデータが記録された磁気ディスク装置のデータを消去する原理を説明する説明図、（ｂ）は（ａ）の磁石の磁束方向を説明する図である。
【図７】（ａ）は本発明のデータ消去装置により水平記録方式でデータが記録された磁気ディスク装置のデータが消去される様子を示す断面図、（ｂ）は磁気ディスク装置内の磁気ディスクに記録されたデータの磁化の方向を説明する図である。
【図８】（ａ）は図５（ａ）のデータ消去装置の平面図、（ｂ）は（ａ）のデータ消去装置においてスイングトレイを最大限スイングさせた状態を説明する平面図である。
【図９】（ａ）から（ｄ）は第２の実施例のデータ消去装置に水平記録方式でデータが記録された磁気ディスクが挿入された場合おいて、本体からスライドトレイを４段階に引き出していく各段階と、その時の磁石の最大磁場の位置を説明する説明図である。
【図１０】本発明の第２の実施例のデータ消去装置を用いて垂直記録方式で記録された磁気ディスク装置のデータを消去する場合の装置の構成を示す分解斜視図である。
【図１１】（ａ）は図１０に示したデータ消去装置を組み立て、垂直記録方式でデータが記録された磁気ディスク装置と磁石トレイをスイングトレイに装着し、スライドトレイを本体内に完全に挿入した状態を示すデータ消去装置の斜視図、（ｂ）は（ａ）に示したスライドトレイを最大限引き出した状態を示すデータ消去装置の斜視図である。
【図１２】（ａ）は本発明のデータ消去装置により垂直記録方式でデータが記録された磁気ディスク装置のデータを消去する原理を説明する説明図、（ｂ）は（ａ）の磁気ディスク装置内の磁気ディスクに記録されたデータの磁化の方向を説明する図である。
【図１３】（ａ）から（ｄ）は第２の実施例のデータ消去装置に垂直記録方式でデータが記録された磁気ディスクが挿入された場合おいて、本体からスライドトレイを４段階に引き出していく各段階と、その時の磁石の磁場の位置を説明する説明図である。
【図１４】本発明の第２の実施例における磁気ディスクと磁石の最大磁場の相対変化の様子を説明する説明図である。
【図１５】（ａ）は本発明の第２の実施例のデータ消去装置のスイングトレイに磁気ディスクを装着した状態を示す平面図、（ｂ）は本発明の第２の実施例のデータ消去装置のスイングトレイにライブラリ装置で使用する磁気カートリッジを装着した状態を示す平面図である。
【符号の説明】
【００９４】
１    磁気ディスク装置（ハードディスク装置）
１Ｈ    水平記録方式でデータが記録された磁気ディスク装置
１Ｖ    垂直記録方式でデータが記録された磁気ディスク装置
５    磁気ディスク
２０    スライドトレイ
２２    溝
２４    ストッパ突起
２７，２７Ａ，２８，２８Ａ，２９，２９Ａ    永久磁石
３０    本体
３２    凹部
３４    ラッチレバー
３６    ストッパ
３７    ガイド溝
４０    スイングトレイ
４１    フレーム
４２    媒体収容孔
４３    グリップ
４４    軸ピン
４４Ｌ    長軸ピン
５０    第２の実施例のデータ消去装置
６０    第１の実施例のデータ消去装置
６１    トレイ
６２    ケース
６７    開口部
６８    通路
８０    磁石トレイ
８１    フレーム
８２    磁石収容孔
８３    グリップ収容溝
８４    磁石位置決め溝
【図１】
2006190379.tif 000003
【図２】
2006190379.tif 000004
【図３】
2006190379.tif 000005
【図４】
2006190379.tif 000006
【図５】
2006190379.tif 000007
【図６】
2006190379.tif 000008
【図７】
2006190379.tif 000009
【図８】
2006190379.tif 000010
【図９】
2006190379.tif 000011
【図１０】
2006190379.tif 000012
【図１１】
2006190379.tif 000013
【図１２】
2006190379.tif 000014
【図１３】
2006190379.tif 000015
【図１４】
2006190379.tif 000016
【図１５】
2006190379.tif 000017